(57)【特許請求の範囲】
【請求項１】
撃針部と、
前記撃針部に接続され、かつ、ガス抜き孔が形成された雷管部と、
前記雷管部に接続された発火延時部と、を有する点火機構部を有し、
前記発火延時部から着火される発煙部を有する、
ことを特徴とする発煙筒。
【請求項２】
前記撃針部が、撃針ケースと、この撃針ケースに収容された撃針構造体とから構成され、
前記雷管部が、雷管ケースと、この雷管ケースに収容された雷管本体とから構成され、
前記発火延時部が、延時ケースと、この延時ケースに収容された延時本体とから構成され、
前記撃針ケース下端に前記雷管ケースが接続され、この雷管ケースの下端に前記延時ケースが接続された、
ことを特徴とする請求項１に記載された発煙筒。
【請求項３】
前記雷管部と、前記発火延時部とが、一体で成形された、
ことを特徴とする請求項１または請求項２に記載された発煙筒。
【請求項４】
前記点火機構部が、噴煙孔が形成された噴煙板を当該点火機構部の外周に有する、
ことを特徴とする請求項１から請求項３のいずれか１項に記載された発煙筒。
【発明の詳細な説明】
【技術分野】
【０００１】
本発明は、訓練に用いられる発煙筒に関するものである。
【背景技術】
【０００２】
従来、発煙を目的とした火工品として、自衛隊による訓練などで用いられる擬砲煙筒や、民間による防災訓練などで用いられる発煙筒がある。例えば、下記特許文献１に記載された発煙筒は、点火星から伸びた導火線の先に発煙薬に繋げられており、点火星が、すり板などで擦られた際の摩擦熱によって発火する。
【先行技術文献】
【特許文献】
【０００３】
【特許文献１】特開２００６−１４３４９８号公報
【発明の概要】
【発明が解決しようとする課題】
【０００４】
しかし、上記したとおり、従来の発煙筒は、発煙薬に引火させるために、摩擦熱を要するため、点火星の発火操作が煩雑であり、また、湿気によって点火星が劣化すれば、発煙薬に引火させることができず、発煙しない。
【０００５】
本発明は、この様な実情に鑑みて提案されたものである。すなわち、操作が簡便であり、湿気による不発を防ぐことができる発煙筒の提供を目的とする。
【課題を解決するための手段】
【０００６】
上記目的を達成するために、本発明に係る発煙筒は、撃針部と、前記撃針部に接続された雷管部と、前記雷管部に接続された発火延時部と、を有する点火機構部を有し、前記発火延時部から着火される発煙部を有する、ことを特徴とする。
【０００７】
本発明に係る発煙筒は、前記雷管部に、ガス抜き孔が形成された、ことを特徴とする。
【０００８】
本発明に係る発煙筒は、前記撃針部が、撃針ケースと、この撃針ケースに収容された撃針構造体とから構成され、前記雷管部が、雷管ケースと、この雷管ケースに収容された雷管本体とから構成され、前記発火延時部が、延時ケースと、この延時ケースに収容された延時本体とから構成され、前記撃針ケース下端に前記雷管ケースが接続され、この雷管ケースの下端に前記延時ケースが接続された、ことを特徴とする。
【０００９】
本発明に係る発煙筒は、前記雷管部と、前記発火延時部とが、一体で成形された、ことを特徴とする。
【００１０】
本発明に係る発煙筒は、前記点火機構部が、噴煙孔が形成された噴煙板を有する、ことを特徴とする。
【発明の効果】
【００１１】
本発明に係る発煙筒は、撃針部と、この撃針部に接続された雷管部と、この雷管部に接続された発火延時部とを有する点火機構部を有し、発火延時部から着火される発煙部を有している。すなわち、本発明は、点火機構部を有しているため、撃針部が操作されることで、操作が完了する。撃針によって雷管部が発火し、発火延時部を介して発煙部に着火すると、発煙部が発煙する。したがって、操作が簡便である。また、雷管部が、点火機構部によって閉塞され、湿気に晒されないため、不発を防いで確実に雷管部が着火し、発煙部から発煙させることができる。
【００１２】
本発明に係る発煙筒は、雷管部に、ガス抜き孔が形成されている。雷管部が発火した際に発生するガスが、ガス抜き孔を通って点火機構部の外に排気され、点火機構部のガス圧が抑えられる。したがって、発火延時部を適切に機能させることができる。なお、仮に、ガス圧が高すぎた場合、発火延時部の燃焼が不安定となり、所定の時間よりも早く燃焼が進む場合がある。
【００１３】
本発明に係る発煙筒は、撃針部が、撃針ケースと、この撃針ケースに収容された撃針構造体とから構成され、雷管部が、雷管ケースと、この雷管ケースに収容された雷管本体とから構成され、発火延時部が、延時ケースと、この延時ケースに収容された延時本体とから構成され、撃針ケース下端に雷管ケースが接続され、この雷管ケースの下端に延時ケースが接続されている。すなわち、本発明は、構成が簡便であり、容易に組み立てることができる。
【００１４】
本発明に係る発煙筒は、雷管部と、発火延時部とが、一体で成形されている。したがって、本発明は、構成が簡便である。
【００１５】
本発明に係る発煙筒は、点火機構部が、噴煙孔が形成された噴煙板を有している。煙が噴煙孔を通ることで、離散せずに上昇するため、利用者は、発煙による景況を把握することができる。
【図面の簡単な説明】
【００１６】
【図１】図１は、本発明の第一実施形態に係る発煙筒の断面図である。
【図２】図２は、本発明の第一実施形態に係る発煙筒の点火機構部の断面拡大図である。
【図３】図３は、本発明の第一実施形態に係る発煙筒の点火機構部の分解断面拡大図である。
【図４】図４は、本発明の第二実施形態に係る発煙筒の点火機構部であって、（ａ）は上方から視した上面図、（ｂ）は側方から視した側面図、（ｃ）は（ｂ）におけるＩＶｃ−ＩＶｃ断面図、（ｄ）は下方から視した下面図である。
【発明を実施するための形態】
【００１７】
以下に、本発明の実施形態に係る発煙筒を図面に基づいて説明する。図１は、本発明の第一実施形態に係る発煙筒１の断面が示されている。
【００１８】
図１に示されているとおり、発煙筒１は、棒状であり、利用者が片手で把持できる程度の大きさである。発煙筒１は、筒状の長手の容器２と、煙を発する発煙部１１と、この発煙部１１に引火させる点火機構部１２とを有している。発煙部１１及び点火機構部１２は、容器２に収容され、容器２の上部が蓋部３で閉じられている。容器２の内部は、下部に発煙室４が形成され、この発煙室４の上方に、点火室５が形成されている。発煙室４と点火室５との間は、発煙板６で区切られている。発煙板６は、円板状であり、ほぼ中心に引火孔７が形成され、この引火孔７の周囲に、複数の発煙孔８が形成されている。発煙板６は、上にスペーサ４０が載せられている。スペーサ４０は、所定の高さの円筒状であり、点火機構部１２を所定の位置で支持するものである。点火機構部１２は、噴煙板９が取り付けられている。噴煙板９は、円板状であり、複数の噴煙孔１０が形成されている。噴煙板９が、スペーサ４０の上端部に載せられたことで、点火機構部１２が、発煙部１１に対して適切な位置で支持される。すなわち、点火機構部１２の下端部と発煙部１１とが、点火機構部１２の下端部から放射される火炎によって発煙部１１に適切に着火することができる間隔となる。容器２、蓋部３およびスペーサ４０は、紙製または樹脂製であり、発煙板６、噴煙板９、点火機構部１２は、紙製、樹脂製または金属製である。
【００１９】
発煙部１１は、容器２の発煙室４に収容されて容器２の底部に載置されている。発煙部１１は、例えば、パラフィンなどの発煙薬である。点火機構部１２は、容器２の点火室５に収容されて発煙部１１の上方に配置されている。
【００２０】
ここで、点火機構部１２を図面に基づいて説明する。図２は、点火機構部１２の断面が示され、図３は、分解された点火機構部１２の断面が示されている。
【００２１】
図２及び図３に示されているとおり、点火機構部１２は、撃針部１３と、この撃針部１３に接続された雷管部１４と、この雷管部１４に接続された発火延時部２２とを有している。撃針部１３は、撃針ケース２８と、この撃針ケース２８に収容された撃針構造体３２とから構成されている。撃針ケース２８は、筒状であり、上端部に、撃針孔２９が形成され、内側の空間に、撃針収容部３０を有し、下端が開放されている。撃針ケース２８の下端部は、撃針ケース被係止部３１が形成されている。
【００２２】
撃針構造体３２は、撃針ケース２８の撃針孔２９に取り付けられ、撃針収容部３０に収容されている。撃針構造体３２は、棒状の撃針本体３３と、解放環３４を有する割ピン３５と、弾性部材であるコイルバネ３６とを有している。撃針本体３３は、上部に、撃針本体３３と直交する方向に形成された挿入孔３７が形成され、下部の側面に、側方に向けて張り出したフランジ３８が形成され、下端に、下方に向けて突出した突部３９が形成されている。撃針本体３３は、上方からコイルバネ３６が通され、コイルバネ３６はフランジ３８に引っ掛けられている。この状態で、撃針本体３３は、撃針孔２９に通され、この撃針孔２９から撃針ケース２８の外側に突出した上部の挿入孔３７に割ピン３５が通されている。コイルバネ３６は、フランジ３８と撃針ケース２８の上端部との間で圧縮している。
【００２３】
雷管部１４は、雷管ケース１５と、この雷管ケース１５に収容された雷管本体２１とから構成されている。雷管ケース１５は、筒状であり、上端部に、雷管ケース第一係止部１６が形成され、上端部の内側の空間に、雷管収容部１７を有し、側面に、溝部１８を有し、下部に、雷管ケース第二係止部１９が形成されている。雷管ケース１５は、側方に向けて貫通したガス抜き孔２０が形成されている。ガス抜き孔２０は、雷管収容部１７の下方において、複数形成されている。ガス抜き孔２０の位置、数は、任意である。溝部１８は、噴煙板９が取り付けられる（図１参照）。雷管本体２１は、例えば、ボクサー型、ベルダン型、バッテリ型などである。雷管本体２１に収容された爆紛は、例えば、鉛を含まない無鉛爆粉であれば、ジアゾジニトロフェノール、硝酸バリウム、ケイ化カルシウム、三硫化アンチモンなどが含まれ、鉛を含む爆分であれば、トリシネートなどが含まれている。
【００２４】
発火延時部２２は、延時ケース２３と、この延時ケース２３に収容された延時本体２７とから構成されている。延時ケース２３は、筒状であり、上部よりも下部の直径が小さく形成されている。延時ケース２３は、上端部に、延時ケース被係止部２４が形成され、下端部に、噴火孔２５が形成され、内側の空間に、延時本体２７が収容された延時収容部２６を有している。延時本体２７は、例えば、延時薬や、導火線などである。延時薬は、例えば、過酸化バリウム、鉛丹、クロム酸鉛に各種金属または合金の粉末が混合された混合物などである。
【００２５】
撃針ケース２８は、下端に、雷管ケース１５が接続され、この雷管ケース１５の下端に、延時ケース２３が接続されている。すなわち、雷管ケース第一係止部１６と撃針ケース被係止部３１とが係止され、延時ケース被係止部２４と雷管ケース第二係止部１９とが係止される。図１に示されているとおり、雷管ケース１５の溝部１８に、噴煙板９が取り付けられ、点火機構部１２が完成する。
【００２６】
上記のとおり、発煙筒１が構成されている。
【００２７】
次に、本実施形態の作用を説明する。
【００２８】
図１において、蓋部３が外され、割ピン３５が引き抜かれると、コイルバネ３６の復元力で撃針本体３３が雷管本体２１に向けて移動し、突部３９が雷管本体２１を打撃する。雷管本体２１に収容された爆紛が、加圧されて燃焼すると、高温の燃焼ガスが生成される。燃焼ガスが、延時本体２７に着火すると、延時本体２７は、例えば、概ね１から１０秒の時間をかけて燃焼する。燃焼ガスの一部は、ガス抜き孔２０を通って排気され、雷管ケース１５および延時ケース２３内のガス圧が抑えられる。ガス圧が下がることで、延時本体２７は、燃焼が安定し、概ね正確な時間に渡って燃焼し続ける。延時本体２７の火炎が、延時ケース２３の噴火孔２５、発煙板６の引火孔７を通って、発煙部１１に着火すると、発煙部１１が発煙し、煙が、発煙板６の発煙孔８、噴煙板９の噴煙孔１０を通って上昇し、容器２の上端から噴煙する。
【００２９】
次に、本実施形態の効果を説明する。
【００３０】
上記したとおり、本実施形態では、発煙筒１は、発煙部１１に引火させる点火機構部１２を有し、この点火機構部は１２、撃針部１３と、この撃針部１３に接続された雷管部１４と、この雷管部１４に接続された発火延時部２２とを有している（図１参照）。この構成により、撃針部１３の割ピン３５が引き抜かれることで、操作が完了する。したがって、操作が簡便である。また、雷管本体２１が、雷管ケース１５によって閉塞され、湿気に晒されないため、不発を防いで確実に雷管本体２１が着火し、発煙部１１から発煙させることができる。
【００３１】
本実施形態では、撃針部１３が、撃針ケース２８と、この撃針ケース２８に収容された撃針構造体３２とから構成され、雷管部１４が、雷管ケース１５と、この雷管ケース１５に収容された雷管本体２１とから構成され、発火延時部２２が、延時ケース２３と、この延時ケース２３に収容された延時本体２７とから構成され、雷管ケース第一係止部１６と撃針ケース被係止部３１とが係止され、延時ケース被係止部２４と雷管ケース第二係止部１９とが係止されている（図２及び３参照）。すなわち、点火機構部１２は、構成が簡便であり、容易に組み立てることができる。
【００３２】
本実施形態において、点火機構部１２が樹脂製であれば、金属製の点火機構部と比較して、材料費が安く、軽量である。
【００３３】
本実施形態では、雷管ケース１５は、側方に向けて貫通したガス抜き孔２０が形成されている。雷管本体２１の爆紛から生成された高温の燃焼ガスの一部は、ガス抜き孔２０を通って排気され、雷管ケース１５および延時ケース２３内のガス圧が抑えられる（図１参照）。ガス圧が下がることで、延時本体２７は、燃焼が安定し、概ね正確な時間に渡って燃焼し続ける。したがって、延時本体２７を適切に機能させることができる。
【００３４】
本実施形態では、点火機構部１２の溝部１８に、噴煙板９が取り付けられ、この噴煙板９は、噴煙孔１０が形成されている（図１参照）。したがって、煙が噴煙孔１０を通って離散せずに上昇し、利用者が、発煙による景況を把握することができる。
【００３５】
次に、本発明の第二実施形態に係る発煙筒を図面に基づいて説明する。図４は、本発明の第二実施形態に係る発煙筒の点火機構部２１２が示されている。
【００３６】
図４に示されているとおり、点火機構部２１２は、雷管ケース２１５、延時ケース２２３及び噴煙板２０９が、一体で成形されている。したがって、第二実施形態は、構成が簡便である。なお、他の構成は、発煙筒１と同じであるため、説明を省略する。
【００３７】
なお、本発明の他の実施形態として、撃針ケース係止部、雷管ケース第一被係止部、雷管ケース第二被係止部及び延時ケース係止部を有する発煙筒もある。また、撃針ケース被係止部、雷管ケース第一係止部、雷管ケース第二係止部及び延時ケース被係止部が、ネジ構造であり、撃針ケース、雷管ケース及び延時ケースが、螺合によって接続された発煙筒がある。また、例えば、撃針ケースが係止構造であり、延時ケースがネジ構造であるなど、係止構造とネジ構造とが組み合わさった発煙筒もある。また、噴煙板を有しない発煙筒がある。また、ガス抜き孔を有しない発煙筒がある。また、雷管ケース及び延時ケースが一体で成形され、噴煙板が後で取り付けられる発煙筒がある。また、円筒状や角柱筒状の発煙筒もある。
【００３８】
以上、本発明の実施形態を詳述したが、本発明は上記した実施形態に限定されるものではない。そして本発明は、特許請求の範囲に記載された事項を逸脱することがなければ、種々の設計変更を行うことが可能である。
【符号の説明】
【００３９】
１            発煙筒
２            容器
３            蓋部
４            発煙室
５            点火室
６            発煙板
７            引火孔
８            発煙孔
９，２０９    噴煙板
１０，２１０  噴煙孔
１１          発煙部
１２，２１２  点火機構部
１３          撃針部
１４          雷管部
１５，２１５  雷管ケース
１６          雷管ケース第一係止部
１７          雷管収容部
１８          溝部
１９          雷管ケース第二係止部
２０，２２０  ガス抜き孔
２１          雷管本体
２２          発火延時部
２３，２２３  延時ケース
２４          延時ケース被係止部
２５          噴火孔
２６          延時収容部
２７          延時本体
２８，２２８  撃針ケース
２９          撃針孔
３０          撃針収容部
３１          撃針ケース被係止部
３２          撃針構造体
３３          撃針本体
３４          解放環
３５          割ピン
３６          コイルバネ
３７          挿入孔
３８          フランジ
３９          突部
４０          スペーサ
【要約】
【課題】操作が簡便であり、湿気による不発を防ぐことができる発煙筒を提供する。
【解決手段】発煙筒１は、煙発する発煙部１１と、この発煙部１１に引火させる樹脂製の点火機構部１２とを有し、この点火機構部１２は、撃針部１３と、この撃針部１３の下部に接続された雷管部１４と、この雷管部１４の下部に接続された発火延時部２２とを有している。
【選択図】図１【図１】
0006682684.tif 000002
【図２】
0006682684.tif 000003
【図３】
0006682684.tif 000004
【図４】
0006682684.tif 000005